(57)【要約】【課題】ＡＣ電源の一時的な遮断に対してより適切に対処する。【解決手段】印刷を実行している最中にＡＣ電源の遮断が検出されたときには（Ｓ１００〜Ｓ１３０）、待機時間Ｔｗを設定し（Ｓ１６０）  その１パス分の実行を完了させてから省電力モードで待機し（Ｓ１７０〜Ｓ１９０）、待機時間Ｔｗの経過時にＡＣ電源が復帰したときには通常モードに復帰させて（Ｓ２２０）、次パスからの印刷の実行を再開し（Ｓ１００）、待機時間Ｔｗの経過時にＡＣ電源が復帰しなかったときには必要なデータを保存するバックアップ処理を実行する（Ｓ２３０）。これにより、通常モードで待機するものに比して、ＡＣ電源遮断中のバックアップ用コンデンサーの放電を遅らせることができるから、ＡＣ電源の遮断が一時的なものである場合には印刷を再開できる可能性を高めることができる。【選択図】図４
2011224923.tif 000002
【特許請求の範囲】
【請求項１】
電源の電圧を変換して出力する電圧変換部を有する電源回路からの電力の供給を受けて作動し、各パス毎に媒体を副走査方向に搬送すると共に吐出ヘッドを主走査方向に走査させながら液体を吐出することにより画像を形成する画像形成装置であって、
前記電源回路の前記電圧変換部に対して出力側に取り付けられ、該電源回路からの電力を蓄電する蓄電手段と、
前記電源回路の前記電圧変換部に対して入力側に取り付けられ、電源の供給と遮断とを検出する電源供給遮断検出手段と、
１パスを実行している最中に前記電源供給遮断検出手段により電源の遮断が検出された場合には、前記実行している１パスが完了するまで該実行が継続されるよう前記吐出ヘッドを駆動制御し、該１パスの実行が完了したときに負荷制限を実行して待機し、待機中に前記電源供給遮断検出手段により電源の復帰が検出された場合には前記負荷制限を解除して次パスの実行から再開されるよう前記吐出ヘッドを駆動制御し、待機中に前記電源供給遮断検出手段により電源の復帰が検出されなかった場合にはバックアップ処理を実行する制御手段と
を備える画像形成装置。
【請求項２】
請求項１記載の画像形成装置であって、
前記吐出ヘッドの主走査方向における位置を検出する位置検出手段を備え、
前記画像形成手段は、前記検出された吐出ヘッドの位置に基づいて待機時間を設定し、前記設定した待機時間が経過するまでに前記電源供給遮断検出手段により電源の復帰が検出された場合には前記負荷制限を解除して次パスの実行から再開し、前記設定した待機時間が経過するまでに前記電源供給遮断検出手段により電源の復帰が検出されなかった場合には前記バックアップ処理を実行する手段である
画像形成装置。
【請求項３】
前記待機時間は、１パスが実行されている最中に電源の遮断が検出されたときの前記吐出ヘッドの位置が、該１パスの完了時における前記吐出ヘッドの位置から遠いほど短くなる傾向に設定されてなる請求項２記載の画像形成装置。
【請求項４】
前記負荷制限は、前記画像形成装置が備える駆動系への給電を停止する処理を含む請求項１ないし３いずれか１項に記載の画像形成装置。
【発明の詳細な説明】
【技術分野】
【０００１】
本発明は、電源の電圧を変換して出力する電圧変換部を有する電源回路からの電力の供給を受けて作動し、パス毎に媒体を副走査方向に搬送すると共に吐出ヘッドを主走査方向に走査させながら液体を吐出することにより画像を形成する画像形成装置に関する。
【背景技術】
【０００２】
従来、この種の画像形成装置としては、ＡＣ電源が遮断されたときには、インク残量などのバックアップすべきデータを不揮発性メモリー（ＥＥＰＲＯＭ）に保存するバックアップ処理を実行するものが提案されている（例えば、特許文献１参照）。この装置では、電源ユニットからの電源ラインにバックアップ用コンデンサーを接続し、このコンデンサーに蓄えられた電力をバックアップ用マイコンに供給することにより、バックアップ処理を実行している。
【先行技術文献】
【特許文献】
【０００３】
【特許文献１】特開２００８−１４０２３３号公報
【発明の概要】
【発明が解決しようとする課題】
【０００４】
ところで、ＡＣ電源の遮断が一時的なものであれば、バックアップ用コンデンサーの電力を用いて印刷を継続させることが望ましい。このとき、コンデンサーの容量を大きくするほど、ＡＣ電源の遮断を長時間許容することができるが、装置が大型化すると共にコスト面でも不向きなものとなる。
【０００５】
本発明の画像形成装置は、電源の一時的な遮断に対してより適切に対処することを主目的とする。
【０００６】
本発明の画像形成装置は、上述の主目的を達成するために以下の手段を採った。
【課題を解決するための手段】
【０００７】
本発明の画像形成装置は、
電源の電圧を変換して出力する電圧変換部を有する電源回路からの電力の供給を受けて作動し、各パス毎に媒体を副走査方向に搬送すると共に吐出ヘッドを主走査方向に走査させながら液体を吐出することにより画像を形成する画像形成装置であって、
前記電源回路の前記電圧変換部に対して出力側に取り付けられ、該電源回路からの電力を蓄電する蓄電手段と、
前記電源回路の前記電圧変換部に対して入力側に取り付けられ、電源の供給と遮断とを検出する電源供給遮断検出手段と、
１パスを実行している最中に前記電源供給遮断検出手段により電源の遮断が検出された場合には、前記実行している１パスが完了するまで該実行が継続されるよう前記吐出ヘッドを駆動制御し、該１パスの実行が完了したときに負荷制限を実行して待機し、待機中に前記電源供給遮断検出手段により電源の復帰が検出された場合には前記負荷制限を解除して次パスの実行から再開されるよう前記吐出ヘッドを制御し、待機中に前記電源供給遮断検出手段により電源の復帰が検出されなかった場合にはバックアップ処理を実行する制御手段と
を備えることを要旨とする。
【０００８】
この本発明の画像形成装置では、１パスを実行している最中に電源の遮断が検出された場合には、実行している１パスが完了するまで実行が継続されるよう吐出ヘッドを駆動制御し、１パスの実行が完了したときに負荷制限を実行して待機し、待機中に電源の復帰が検出された場合には負荷制限を解除して次パスの実行から再開されるよう吐出ヘッドを制御し、待機中に電源の復帰が検出されなかった場合にはバックアップ処理を実行する。これにより、電源が一時的に遮断されたとしても正常に画像の形成を完了することができると共に電源の遮断が継続されたときには適正に動作を終了させることができる。ここで、「負荷制限」には、画像形成装置が備える駆動系への給電を停止するものが含まれる。
【０００９】
こうした本発明の画像形成装置において、前記吐出ヘッドの主走査方向における位置を検出する位置検出手段を備え、前記画像形成手段は、前記検出された吐出ヘッドの位置に基づいて待機時間を設定し、前記設定した待機時間が経過するまでに前記電源供給遮断検出手段により電源の復帰が検出された場合には前記負荷制限を解除して次パスの実行から再開し、前記設定した待機時間が経過するまでに前記電源供給遮断検出手段により電源の復帰が検出されなかった場合には前記バックアップ処理を実行する手段であるものとすることもできる。この態様の本発明の画像形成装置において、前記待機時間は、１パスが実行されている最中に電源の遮断が検出されたときの前記吐出ヘッドの位置が、該１パスの完了時における前記吐出ヘッドの位置から遠いほど短くなる傾向に設定されてなるものとすることもできる。こうすれば、電源が遮断されてからパスの実行が完了するまでに要する電力に応じた適切な待機時間を設定することができる。
【図面の簡単な説明】
【００１０】
【図１】本発明の一実施形態であるプリンター２０の外観を示す外観斜視図。
【図２】本実施形態のプリンター２０の機能ブロックを示すブロック図。
【図３】ＡＣアダプター８０と本体２１との電源供給系の概略構成図。
【図４】印刷処理ルーチンの一例を示すフローチャート。
【図５】通常モードと省電力モードの詳細を説明する説明図。
【図６】実施例のＡＣ電圧とＡＣ遮断信号と電流と４２Ｖ出力の時間変化。
【図７】比較例のＡＣ電圧と電流と４２Ｖ出力とバックアップ処理の時間変化。
【図８】変形例の印刷処理ルーチンの一例を示すフローチャート。
【発明を実施するための形態】
【００１１】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図であり、図３は、ＡＣアダプター８０と本体２１との電源供給系の構成の概略を示す構成図である。
【００１２】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１３】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。また、フレーム４９には、ガイド４２に沿って配置された光学スケール４７ａが配置されており、キャリッジ２２の背面に取り付けられた光学センサー４７ｂにより光学スケール４７ａを光学的に読み取ることにより、キャリッジ２２の主走査方向における位置を検出できるようになっている（以下、光学スケール４７ａと光学センサー４７ｂとの組み合わせをキャリッジポジションセンサー４７と呼ぶ）。
【００１４】
ＬＣＤ２５は、ＬＣＤコントローラー５４による表示制御を受けて文字や図形，記号などを表示する。ＬＣＤ２５は、本実施形態では、９６０ドット×２４０ドットの画素により構成されている。
【００１５】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、装置全体の電源の供給を管理する電源管理部７０と、を備え、これらはバス５９を介して互いに電気的に接続されている。電源管理部７０は、交流電圧（例えば、１００Ｖ）を直流電圧Ｖ４２（例えば、４２Ｖ）に変換するＡＣアダプター８０を介して商用電源に接続されており、ＡＣアダプター８０からの直流電圧を所望の電圧に変換して各部に供給する。
【００１６】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるＥＥＰＲＯＭ６４と、電源ボタン２６からの操作信号を入力するインターフェース（Ｉ／Ｆ）６５とを備える。このメインコントローラー６０には、メモリーカードスロット５６に挿入されたメモリーカードＭＣから画像ファイルなどを入力したり、赤外線通信コントローラー５２からの操作信号やキャリッジポジションセンサー４７からのキャリッジポジションＣＰなどの印刷機構４０の各部からの検出信号、ＡＣ電圧検出回路９８からのＡＣ電圧信号などを入力する。また、メインコントローラー６０からは、プリンターＡＳＩＣ４８への指令信号やＬＣＤコントローラー５４への制御信号などを出力する。
【００１７】
ＡＣアダプター８０は、図３に示すように、商用電源からノイズフィルター８２を介して入力された交流電圧の整流と平滑とを行なう入力整流平滑部８３と、整流された直流電圧をスイッチング素子のスイッチングにより交流電圧に変換すると共に変換した交流電圧を降圧するＤＣ／ＤＣコンバーター８４と、ＤＣ／ＤＣコンバーター８４により降圧された交流電圧の整流と平滑とを行なう出力整流平滑部８５と、出力整流平滑部８５の出力に基づいてＤＣ／ＤＣコンバーター８４のスイッチング素子をスイッチング制御する制御回路８６とからなるＡＣ／ＤＣコンバーター８１を備えるスイッチング電源として構成されている。ＡＣ／ＤＣコンバーター８１の出力は、ＡＣアダプター８０側の電源端子８９ａと本体２１側の電源端子７１ａとを介して電源管理部７０のＤＣ／ＤＣコンバーター７２に接続されている。また、ＡＣ／ＤＣコンバーター８１の一次側には、ＡＣ電源の電圧低下を検出するためのＡＣ電圧検出回路８８が接続されており、ＡＣ電圧検出回路８８からの出力信号（ＡＣ電圧信号）はＡＣアダプター８０側の信号端子８９ｂと本体２１側の信号端子７１ｂとを介してＣＰＵ６１に入力されている。
【００１８】
電源管理部７０は、ＡＣアダプター８０により変換された直流電圧Ｖ４２を、印刷ヘッド４５やキャリッジベルト４３を駆動するモーター，搬送ローラー４６を駆動するモーターなどのパワーデバイスに供給すると共に、直流電圧Ｖ４２をＤＣ／ＤＣコンバーター７２によりさらに降圧してＣＰＵ６１やモーターを制御するためのモーター制御部４８ａや印刷ヘッドを制御するヘッド制御部４８ｂなどのロジックデバイスに供給する。また、電源端子７１ａとＤＣ／ＤＣコンバーター７２の入力端子とを接続する電源ライン７３には、バックアップ用コンデンサー７４が接続されており、ＡＣアダプター８０の出力が停止したときにバックアップ用コンデンサー７４に蓄えられている電力を用いて所定のバックアップ処理を行なうことができるようになっている。なお、バックアップ処理としては、例えば、インクカートリッジ４４のインク残量などのバックアップすべきデータをＥＥＰＲＯＭ６４に記憶する処理などを挙げることができる。
【００１９】
次に、こうして構成された本実施形態のプリンター２０の動作について説明する。図４は、印刷処理ルーチンの一例を示すフローチャートである。このルーチンは、印刷ジョブを受け付けたときに実行される。
【００２０】
印刷処理ルーチンが実行されると、メインコントローラー６０のＣＰＵ６１は、まず、用紙Ｓをその記録位置が印刷ヘッド４５に対向する位置まで副走査方向に移動させ、キャリッジ４１を主走査方向に移動させながら印刷ヘッド４５からインクが吐出されるようモーター制御部４８ａとヘッド制御部４８ｂとに駆動指令を出力することにより１パス分の印刷を開始し（ステップＳ１００）、その１パス分の印刷が完了するまで、ＡＣアダプター８０のＡＣ電圧検出回路９８からのＡＣ電圧信号を入力してＡＣ電圧の低下を判定する（ステップＳ１１０，Ｓ１２０）。ステップＳ１１０の判定は、ＡＣ電源の遮断を判定するためのものであり、具体的には、ＡＣ電圧と閾値とを比較してＡＣ電圧が閾値を下回ったときにＡＣ電圧の低下、即ちＡＣ電源が遮断していると判定する。本実施形態では、ＡＣ電圧検出回路８８をＡＣ／ＤＣコンバーター８１の一次側に接続しているから、二次側に接続する場合に比して、ＡＣ電源の遮断を迅速に検出することができる。１パス分の印刷が完了するまでにＡＣ電圧の低下が判定されなかったときには、次のパスがあるか否かを判定し（ステップＳ１３０）、次のパスがあるときにはステップＳ１００に戻って次の１パス分の印刷を開始し、次のパスがないときには、印刷が完了したと判断してこれで本ルーチンを終了する。
【００２１】
ステップＳ１１０で１パス分の印刷が完了する前にＡＣ電圧の低下が判定されると、タイマーＴをスタートさせ（ステップＳ１４０）、キャリッジポジションセンサー４７からのキャリッジポジションＣＰを入力し（ステップＳ１５０）、入力したキャリッジポジションＣＰに基づいて待機時間Ｔｗを設定し（ステップＳ１６０）、１パス分の印刷が完了するのを待って（ステップＳ１７０）、キャリッジ４１を停止させると共に（ステップＳ１８０）、タイマーＴが設定した待機時間Ｔｗに至るまで省電力モードで待機する（ステップＳ１９０，Ｓ２００）。図５に、省電力モードの詳細を示す。ここで、図５では、通常モードとの比較により省電力モードの動作を示した。省電力モードは、図示するように、キャリッジポジションセンサー４７などの光学センサー類への電流供給を遮断したり、モーター制御部４８ａへの給電を停止してスリープ状態としたり、キャリッジモーター（プリンターモーター）を無励磁としたり、ヘッド制御部４８ｂへの給電を停止してスリープ状態としたり、搬送モーター（ＡＤＦモーター）を無励磁としたり、パネルＬＥＤを消灯させたり、ＬＣＤ２５の表示を停止したり、ＬＣＤバックライトを消灯させたりすることにより行なわれる。ただし、印刷データなどの後述する印刷の再開に必要なデータについてはそのまま保持しておくために、ＲＡＭ６３への給電は維持される。また、待機時間Ｔｗは、本実施形態では、１パス分の印刷を開始するときのキャリッジ４１のスタートポジションから１パス分の印刷が完了したときのキャリッジ４１のストップポジションまでのポジションのうちキャリッジポジションＣＰがストップポジションから近いほど、短くなる傾向に設定するものとした。これは、本実施形態では、省電力モードへの移行を現パスの実行が完了してから行なうことから、ＡＣ電源が遮断したときのキャリッジポジションＣＰがストップポジションから遠いほど省電力モードに移行する時点でコンデンサー７４に残存する蓄電量が少なくなっていることに基づく。この待機時間Ｔｗの設定は、具体的には、キャリッジポジションＣＰと待機時間Ｔｗとの関係を予め求めてマップとしてＲＯＭ６２に記憶しておき、キャリッジポジションＣＰが与えられると、マップから対応する待機時間Ｔｗを導出することにより行なうものとした。
【００２２】
タイマーＴが待機時間Ｔｗ以上となると、ＡＣ電圧検出回路９８からのＡＣ電圧信号を入力してＡＣ電圧が復帰しているか否かを判定し（ステップＳ２１０）、ＡＣ電圧が復帰しているときには、省電力モードから通常モードに復帰させて（ステップＳ２２０）、ステップＳ１００に戻り、次パス分から印刷を再開する。一方、ＡＣ電圧が復帰していないときには、前述したバックアップ処理を実行して（ステップＳ２３０）、本ルーチンを終了する。この場合、プリンター２０は、バックアップ処理の後にシャットダウンされることになる。このように、ＡＣ電源の遮断時には、省電力モードで待機させることにより、通常モードで待機させる場合に比して、バックアップ用コンデンサー７４の放電を遅らせることができるから、ＡＣ電源の遮断が一時的なものであれば、印刷を再開できる可能性が高くなる。
【００２３】
図６は、実施例のＡＣ電圧とＡＣ遮断信号と出力電流と４２Ｖ出力の時間変化の様子を示す説明図であり、図７は、その比較例である。なお、比較例では、ＡＣ電圧が低下しても４２Ｖ出力が所定電圧Ｖｒｅｆ未満となるまで通常モードを維持し４２Ｖ出力が所定電圧Ｖｒｅｆ未満となったときにバックアップ処理を開始するものである。実施例では、図示するように、時刻ｔ１１にＡＣ電源が停止し、時刻ｔ１２にＡＣ電圧の低下（電源遮断）が検出されると、そのときに実行しているパスが完了するまで待って、通常モードから省電力モードに移行して待機する（時刻ｔ１３）。このとき、バックアップ用コンデンサー７４は、省電力モードへ移行するまでは駆動電流が流れるから比較的急な放電カーブΔＶ１をもって放電されるが、省電力モードへ移行してからは駆動電流が制限されるから比較的緩やかな放電カーブΔＶ０をもって放電される。そして、待機時間Ｔｗまで待機した後の時刻ｔ１４にＡＣ電圧が復帰しているか否かを調べ、ＡＣ電圧が復帰しているときには、省電力モードから通常モードに戻して印刷を再開する。一方、比較例では、時刻ｔ２１にＡＣ電圧が低下しても通常モードが維持されるから、バックアップ用コンデンサー７４は比較的急な放電カーブΔＶ１をもって放電され続けることになり、ＡＣ電源の遮断が一時的なものであっても、ＡＣ電圧が復帰する前にバックアップ処理が実行されシャットダウンされる可能性は高くなる。
【００２４】
ここで、本実施形態の構成要素と本発明の構成要素との対応関係を明らかにする。本実施形態のＡＣ／ＤＣコンバーター８１が本発明の「電圧変換部」に相当し、印刷ヘッド４５が「吐出ヘッド」に相当し、バックアップ用コンデンサー７４が「蓄電手段」に相当し、ＡＣ電圧検出回路８８が「電源供給遮断検出手段」に相当し、プリンターＡＳＩＣ４８（モーター制御部４８ａ，ヘッド制御部４８ｂ）やメインコントローラー６０が「制御手段」に相当する。
【００２５】
以上説明した本実施形態のプリンター２０によれば、印刷を実行している最中にＡＣ電圧の低下（ＡＣ電源の遮断）が検出されたときには、その１パス分の実行を完了させてから省電力モードで待機し、待機中にＡＣ電源が復帰したときには通常モードに戻して次パスからの印刷の実行を再開し、待機中にＡＣ電源が復帰しなかったときには必要なデータを保存するバックアップ処理を実行するから、通常モードで待機するものに比して、バックアップ用コンデンサー７４の放電を遅らせることができ、ＡＣ電源の遮断が一時的なものであれば印刷を再開できる可能性を高めることができる。この結果、バックアップ用コンデンサー７４に過剰な性能のものを用いることなく、ＡＣ電源の一時的な遮断に対してより適切に対処することができる。特に、Ａ１やＡ２，Ｂ２などの大判サイズの印刷が可能な大判プリンターでは、印刷途中（特に印刷後半）でＡＣ電源が遮断されると、印刷中止による用紙やインクの損失（費用損失）が過大となるため、ＡＣ電源の遮断時にバックアップ用コンデンサー７４の放電を遅らせることによる印刷を再開できる可能性を高める効果をより顕著なものとすることができる。しかも、待機時間Ｔｗは、ＡＣ電源の遮断が検出されたときのキャリッジポジションＣＰがストップポジションから遠いほど短くなるよう設定するから、待機時間Ｔｗをより適切に設定することができる。
【００２６】
上述した実施形態では、ＡＣ電圧の低下が検出されたときのキャリッジポジションＣＰに基づいて待機時間Ｔｗを変更するものとしたが、キャリッジポジションＣＰに拘わらず一定時間Ｔｒｅｆの待機時間を設定するものとしてもよい。この場合の変形例の印刷処理ルーチンを図８に示す。図８の印刷処理ルーチンでは、図４の印刷処理ルーチンのステップＳ１５０，Ｓ１６０の処理を省略すると共にステップＳ２００に代えてタイマーＴが所定時間Ｔｒｅｆ以上か否かを判定するステップＳ２００Ｂを実行するものとすればよい。
【００２７】
上述した実施形態では、省電力モード時における各負荷制限として、光学センサー類への電流供給の遮断や、モーター制御部４８ａへの給電停止、キャリッジモーター（プリンターモーター）の無励磁、ヘッド制御部４８ｂへの給電停止、搬送モーター（ＡＤＦモーター）の無励磁、パネルＬＥＤの消灯、ＬＣＤ２５の表示停止、ＬＣＤバックライトの消灯を行なうものとしたが、これらの一部を省略するものとしてもよいし、他の負荷の制限を追加するものとしてもよい。
【００２８】
上述した実施形態では、不揮発性メモリーとしてＥＥＰＲＯＭを採用したが、電源を切っても記憶内容を保持することができるメモリーであれば他の如何なるもの採用してもよく、例えばフラッシュメモリーのような半導体メモリーのほか、ＨＤＤのような磁気ディスクなどを用いてもよい。
【００２９】
上述した実施形態では、本発明をプリンター２０に適用して説明したが、これに限られず、プリンターとスキャナーとを備えるマルチファンクションプリンターやＦＡＸ機器など、電源回路からの電源の供給を受けてパス毎に吐出ヘッドを走査させながら媒体に液体を吐出することにより画像を形成できるものであれば、他の如何なる装置に適用するものとしてもよい。
【００３０】
なお、本発明は上述した実施形態に何ら限定されることはなく、本発明の技術的範囲に属する限り種々の態様で実施し得ることはいうまでもない。
【符号の説明】
【００３１】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４７  キャリッジポジションセンサー、４７ａ  光学スケール、４７ｂ  光学センサー、４８  プリンターＡＳＩＣ、４８ａ  モーター制御部、４８ｂ  ヘッド制御部、４９  フレーム、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  ＥＥＰＲＯＭ、６５  インターフェース（Ｉ／Ｆ）、７０  電源管理部、７１ａ  電源端子、７１ｂ  信号端子、７２  ＤＣ／ＤＣコンバーター、７３  電源ライン、７４  バックアップ用コンデンサー、８０  ＡＣアダプター、８１  ＡＣ／ＤＣコンバーター、８２  ノイズフィルター、８３  入力整流平滑部、８４  ＤＣ／ＤＣコンバーター、８５  出力整流平滑部、８６  制御回路、８８  ＡＣ電圧検出回路、８９ａ  電源端子、８９ｂ  信号端子、Ｓ  用紙、Ｍ  メモリーカード。
【図１】
2011224923.tif 000003
【図２】
2011224923.tif 000004
【図３】
2011224923.tif 000005
【図４】
2011224923.tif 000006
【図５】
2011224923.tif 000007
【図６】
2011224923.tif 000008
【図７】
2011224923.tif 000009
【図８】
2011224923.tif 000010